(57)【要約】【課題】表示された地図にニュース記事を関連付けて提供することで、多目的な地図検索ユーザに対して有用な情報を提供することのできる情報提供システムを提供する。【解決手段】クライアントからのリクエストに応じて地図を検索する地図検索手段と、検索された地図に表示される地域に関連するニュース記事を検索するニュース記事検索手段と、検索された地図の画像および検索されたニュース記事へのリンク付きリストを含むページを生成してクライアントに表示させるページ生成手段とを備える。【選択図】図２
2007213431.tif 000002
【特許請求の範囲】
【請求項１】
クライアントからのリクエストに応じて地図を検索する地図検索手段と、
検索された地図に表示される地域に関連するニュース記事を検索するニュース記事検索手段と、
検索された地図の画像および検索されたニュース記事へのリンク付きリストを含むページを生成してクライアントに表示させるページ生成手段とを備えたことを特徴とする情報提供システム。
【請求項２】
請求項１に記載の情報提供システムにおいて、
上記ニュース記事検索手段は、ニュース記事に含まれる地名もしくはランドマークの位置情報を伴ったニュース記事データベースから、検索された地図の位置情報に基づいて検索を行うことを特徴とする情報提供システム。
【請求項３】
請求項２に記載の情報提供システムにおいて、
上記ニュース記事検索手段は、検索された地図の表示範囲の位置情報に基づいて検索を行うことを特徴とする情報提供システム。
【請求項４】
請求項２に記載の情報提供システムにおいて、
上記ニュース記事検索手段は、検索された地図の中心から所定範囲内の位置情報に基づいて検索を行うことを特徴とする情報提供システム。
【請求項５】
請求項１に記載の情報提供システムにおいて、
上記ニュース記事検索手段は、検索された地図に表示される地域に存在する地名もしくはランドマークを含むニュース記事を検索することを特徴とする情報提供システム。
【請求項６】
クライアントからのリクエストに応じて地図を検索する工程と、
検索された地図に表示される地域に関連するニュース記事を検索する工程と、
検索された地図の画像および検索されたニュース記事へのリンク付きリストを含むページを生成してクライアントに表示させる工程とを備えたことを特徴とする情報提供方法。
【発明の詳細な説明】
【技術分野】
【０００１】
本発明は、表示された地図にニュース記事を関連付けて提供する情報提供システムに関する。
【背景技術】
【０００２】
特許文献１には、ハイパーテキスト構造の文書から、当該文書に含まれる地点を表現する語句に対応する地図を表示可能にした地図表示装置が開示されている。
【特許文献１】特許第３３０７８４３号公報
【発明の開示】
【発明が解決しようとする課題】
【０００３】
しかしながら、この特許文献１に記載される技術は、あくまでも文書を読む際に文書の理解を容易にするために関連する地域の地図を表示しようとするものであり、地図を表示したユーザに対して有用な情報を提供するものではない。また、上記のように文書中の語句に対応する地図を表示する技術は存在したが、地図の位置情報から関連する文書を表示する技術は存在しなかった。
【０００４】
本発明は上記の従来の問題点に鑑み提案されたものであり、その目的とするところは、表示された地図にニュース記事を関連付けて提供することで、多目的な地図検索ユーザに対して有用な情報を提供することのできる情報提供システムを提供することにある。
【課題を解決するための手段】
【０００５】
上記の課題を解決するため、本発明にあっては、請求項１に記載されるように、クライアントからのリクエストに応じて地図を検索する地図検索手段と、検索された地図に表示される地域に関連するニュース記事を検索するニュース記事検索手段と、検索された地図の画像および検索されたニュース記事へのリンク付きリストを含むページを生成してクライアントに表示させるページ生成手段とを備える情報提供システムを要旨としている。
【０００６】
また、請求項２に記載されるように、請求項１に記載の情報提供システムにおいて、上記ニュース記事検索手段は、ニュース記事に含まれる地名もしくはランドマークの位置情報を伴ったニュース記事データベースから、検索された地図の位置情報に基づいて検索を行うようにすることができる。
【０００７】
また、請求項３に記載されるように、請求項２に記載の情報提供システムにおいて、上記ニュース記事検索手段は、検索された地図の表示範囲の位置情報に基づいて検索を行うようにすることができる。
【０００８】
また、請求項４に記載されるように、請求項２に記載の情報提供システムにおいて、上記ニュース記事検索手段は、検索された地図の中心から所定範囲内の位置情報に基づいて検索を行うようにすることができる。
【０００９】
また、請求項５に記載されるように、請求項１に記載の情報提供システムにおいて、上記ニュース記事検索手段は、検索された地図に表示される地域に存在する地名もしくはランドマークを含むニュース記事を検索するようにすることができる。
【００１０】
また、請求項６に記載されるように、クライアントからのリクエストに応じて地図を検索する工程と、検索された地図に表示される地域に関連するニュース記事を検索する工程と、検索された地図の画像および検索されたニュース記事へのリンク付きリストを含むページを生成してクライアントに表示させる工程とを備える情報提供方法として構成することができる。
【発明の効果】
【００１１】
本発明の情報提供システムにあっては、表示された地図にニュース記事を関連付けて提供することで、多目的な地図検索ユーザに対して有用な情報を提供することができる。
【発明を実施するための最良の形態】
【００１２】
以下、本発明の好適な実施形態につき説明する。
【００１３】
図１は本発明の一実施形態にかかる情報提供システムの構成例を示す図である。
【００１４】
図１において、情報提供システムは、インターネット等のネットワーク２に接続された情報提供サーバ１と、ネットワーク２に有線もしくは無線によりアクセス可能なＰＣ（Personal Computer）、ＰＤＡ（Personal Digital Assistant）、携帯電話等の複数のクライアント３とを含んでいる。
【００１５】
図２は情報提供サーバ１の構成例を示す図である。なお、情報提供サーバ１は単一のサーバ装置として構成する必要はなく、機能毎に分散した形態で構成してもよい。
【００１６】
図２において、ネットワーク２を介してクライアント３（図１）から地図表示のリクエストがあると、このリクエストは通信制御部１０１を介して地図検索部１０２に与えられる。
【００１７】
地図検索部１０２は、地図表示のリクエストが地名、ランドマーク（名所、著名な施設名等）を含む場合、地名・ランドマークデータベース１０３を検索して位置情報（緯度・経度）を取得する。なお、複数の候補がある場合、地図検索部１０２はページ生成部１１３、通信制御部１０１を介して、クライアント３側に候補を提示し、その中から所望のものを選択させる。
【００１８】
表示させる地図の位置情報が特定された場合、地図出力部１０５はその位置情報に基づいて地図データベース１０４から地図の画像を取得し、ページ生成部１１３に出力する。
【００１９】
一方、時々刻々と発生するニュース記事はニュース記事入力部１０６において入力され、ニュース記事データベース１０７に蓄積される。
【００２０】
蓄積されたニュース記事に対し、形態素解析部１０８は本文を形態素（単語）に分解し、位置情報取得部１０９はその中から地域を特定可能な語につき地名・ランドマークデータベース１０３を検索して位置情報を取得する。図３はニュース記事の例を示す図であり、本文に含まれる「○○○ヒルズ」「○○消防署」につき位置情報（Ｎ：北緯、Ｅ：東経）が取得された状態を示している。
【００２１】
図２に戻り、付加情報設定部１１０は取得された位置情報をニュース記事データベース１０７に付加情報として設定する。図４はニュース記事データベース１０７の構造例を示す図であり、記事ＩＤ、見出し（ニュース記事のタイトル）、本文が対応付けられた本体情報１０７ａと、記事ＩＤ、位置情報（Ｎ：北緯、Ｅ：東経）が対応付けられた付加情報１０７ｂとを含んでいる。
【００２２】
図２に戻り、地図出力部１０５がページ生成部１１３に地図の画像を出力するのと並行して、ニュース記事検索部１１１は地図出力部１０５から位置情報を受け取り、ニュース記事データベース１０７を検索する。地図出力部１０５から受け取る位置情報としては、地図の表示範囲に対応する上限・下限を持った位置情報の場合と、地図の中心の位置情報の場合との２つのパターンがあり得る。
【００２３】
ニュース記事検索部１１１は、地図の表示範囲に対応する上限・下限を持った位置情報の場合、ニュース記事データベース１０７の付加情報に含まれる位置情報を照合し、地図の表示範囲に対応する位置情報の上限・下限に含まれるニュース記事を抽出する。また、地図の中心の位置情報の場合、その位置情報から所定範囲内に含まれるニュース記事を抽出する。
【００２４】
次いで、ニュース記事出力部１１２は検索されたニュース記事の情報をニュース記事データベース１０７から取得してページ生成部１１３に出力する。なお、ユーザの会員ＩＤ等によりユーザの嗜好が事前に把握できる場合には、その嗜好にあったニュース記事のみを出力するようにすることができる。
【００２５】
ページ生成部１１３は検索された地図の画像および検索されたニュース記事へのリンク付きリストを含むページを生成し、通信制御部１０１を介してクライアント３に表示させる。図５はクライアント３における表示画面３１の例を示す図であり、地図画像３２とニュース記事リスト３３とを含んでいる。クライアント３側でニュース記事リスト３３から所望のものをクリックすることで、ニュース記事の本文を参照することができる。
【００２６】
図６は情報提供サーバ１の他の構成例を示す図である。この例では、事前にニュース記事に位置情報を含む付加情報を設定することなく、検索された地図に表示される地域に存在する地名もしくはランドマークを含むニュース記事を検索するようにしている。事前に形態素解析、位置情報取得等の処理を行う必要がないため、よりリアルタイムにニュース記事を提供することができる。
【００２７】
図６において、ネットワーク２を介してクライアント３（図１）から地図表示のリクエストがあると、このリクエストは通信制御部１０１を介して地図検索部１０２に与えられる。
【００２８】
地図検索部１０２は、地図表示のリクエストが地名、ランドマークを含む場合、地名・ランドマークデータベース１０３を検索して位置情報を取得する。なお、複数の候補がある場合、地図検索部１０２はページ生成部１１３、通信制御部１０１を介して、クライアント３側に候補を提示し、その中から所望のものを選択させる。
【００２９】
表示させる地図の位置情報が特定された場合、地図出力部１０５はその位置情報に基づいて地図データベース１０４から地図の画像を取得し、ページ生成部１１３に出力する。
【００３０】
一方、時々刻々と発生するニュース記事はニュース記事入力部１０６において入力され、ニュース記事データベース１０７に蓄積される。
【００３１】
地図出力部１０５がページ生成部１１３に地図の画像を出力するのと並行して、地名・ランドマーク検索部１１４は地図出力部１０５から位置情報を受け取り、地名・ランドマークデータベース１０３を検索する。地図出力部１０５から受け取る位置情報としては、地図の表示範囲に対応する上限・下限を持った位置情報の場合と、地図の中心の位置情報の場合との２つのパターンがあり得る。
【００３２】
地名・ランドマーク検索部１１４は、地図の表示範囲に対応する上限・下限を持った位置情報の場合、地名・ランドマークデータベース１０３の位置情報を照合し、地図の表示範囲に対応する位置情報の上限・下限に含まれる地名・ランドマークを抽出する。また、地図の中心の位置情報の場合、その位置情報から所定範囲内に含まれる地名・ランドマークを抽出する。
【００３３】
次いで、ニュース記事検索部１１１は地名・ランドマーク検索部１１４から地名・ランドマークを受け取り、ニュース記事データベース１０７から当該地名・ランドマークを本文中に含むニュース記事を検索する。
【００３４】
次いで、ニュース記事出力部１１２は検索されたニュース記事の情報をニュース記事データベース１０７から取得してページ生成部１１３に出力する。なお、ユーザの会員ＩＤ等によりユーザの嗜好が事前に把握できる場合には、その嗜好にあったニュース記事のみを出力するようにすることができる。
【００３５】
ページ生成部１１３は検索された地図の画像および検索されたニュース記事へのリンク付きリストを含むページを生成し、通信制御部１０１を介してクライアント３に表示させる。クライアント３側でリストから所望のものをクリックすることで、ニュース記事の本文を参照することができる。
【００３６】
このように、表示された地図にニュース記事を関連付けて提供することで、多目的な地図検索ユーザに対して有用な情報を提供することができる。
【００３７】
例えば、ある目的地に行く用事があって地図検索サービスで周辺の地図を表示した場合、その地で発生した事故や事件をリアルタイムに把握できるため、行くのを延期したり、行くルートを変えたりといった対処ができる。同様に、ある地域に引越しを考えている場合、その地の出来事がわかるため、引越し先を再考するきっかけにもなる。地図検索ユーザは多様な目的の下に地図を見たいと欲するものであるが、ニュース記事という形で多目的に活用し得る有用な情報を提供することができる。
【００３８】
また、ある目的地について検索したときに、その場所の最新のイベントや店舗のオープンに関する記事が表示されることで、ニュース記事等を別途検索する手間なく最新情報を知ることができる。
【００３９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４０】
【図１】本発明の一実施形態にかかる情報提供システムの構成例を示す図である。
【図２】情報提供サーバの構成例を示す図（その１）である。
【図３】ニュース記事の例を示す図である。
【図４】ニュース記事データベースの構造例を示す図である。
【図５】表示画面の例を示す図である。
【図６】情報提供サーバの構成例を示す図（その２）である。
【符号の説明】
【００４１】
１        情報提供サーバ
１０１    通信制御部
１０２    地図検索部
１０３    地名・ランドマークデータベース
１０４    地図データベース
１０５    地図出力部
１０６    ニュース記事入力部
１０７    ニュース記事データベース
１０８    形態素解析部
１０９    位置情報取得部
１１０    付加情報設定部
１１１    ニュース記事検索部
１１２    ニュース記事出力部
１１３    ページ生成部
１１４    地名・ランドマーク検索部
２        ネットワーク
３        クライアント
【図１】
2007213431.tif 000003
【図２】
2007213431.tif 000004
【図３】
2007213431.tif 000005
【図４】
2007213431.tif 000006
【図５】
2007213431.tif 000007
【図６】
2007213431.tif 000008